(57)【要約】【課題】小物類を収容可能な収容室を有する小物入れケースを有効利用し、小物入れケースがミシンの外観パッケージの一部を形成することができるミシンを提供する。【解決手段】ミシン１は、ベッド面３０をもつベッド部３と、ベッド部３から上方に延設され更に横方向に延設されたアーム部４とをもつミシン本体２と、ミシン本体２のアーム部４に装備され針６０を保持する針保持部６とを具備する。ミシン本体２は、ベッド部３のベッド面３０とアーム部４とで形成された小物入れケース収容空間７を有する。更に、小物類を収容可能な収容室を有する小物入れケース８が、使用者に対面するフロント側から小物入れケース収容空間７に脱着可能に出し入れされる。小物入れケース８のフロント壁８０は、外方に露出してミシン１の外観パッケージの一部を形成する。【選択図】図２
2005124774.tif 000002
【特許請求の範囲】
【請求項１】
ベッド面をもつベッド部と前記ベッド部から上方に延設され更に横方向に延設されたアーム部とをもつミシン本体と、
前記ミシン本体の前記アーム部に装備され針を保持するための針保持部とを具備するミシンにおいて、
前記ミシン本体は、前記ベッド部の前記ベッド面と前記アーム部とで形成された小物入れケース収容空間を備えており、
更に、使用者に対面するフロント側から前記小物入れケース収容空間に脱着可能に出し入れされると共に小物類を収容可能な収容室を有する小物入れケースが設けられており、
前記小物入れケースのうち使用者に対面するフロント壁は、ミシンの保管時において、外方に露出して前記ミシンの外観パッケージの一部を形成していることを特徴とするミシン。
【請求項２】
請求項１において、前記小物入れケースを前記小物入れケース収容空間に挿入したとき、前記小物入れケースの前記フロント壁のフロント面は、前記アーム部のフロント面と実質的に同一平面となるように前記アーム部の前記フロント面に整合することを特徴とするミシン。
【請求項３】
請求項１または請求項２において、前記小物入れケースの前記フロント壁の前記フロント面は、シール類、写真類、カード類、メモ類、標識類のうちの少なくとも一方を付設可能とされていることを特徴とするミシン。
【請求項４】
請求項１〜請求項３のうちのいずれか一項において、前記小物入れケースを前記小物入れケース収容空間に挿入したとき、前記小物入れケース収容空間のフロント側は、前記小物入れケースの前記フロント壁で閉鎖されており、且つ、前記小物入れケース収容空間のリヤ側は、前記小物入れケースのリヤ壁の上方に残留開口を有することを特徴とするミシン。
【請求項５】
請求項１〜請求項４のうちのいずれか一項において、前記ミシン本体から分離可能な側部カバーが設けられており、
前記側部カバーは、
前記アーム部の先端部にこれの横側方から前記ミシン本体に脱着可能に取り付けられ針保持部を覆う第１形態と、
前記側部ケースを寝かせた状態で前記ミシン本体に付設されて前記ベッド部の前記ベッド面を拡張させる拡張テーブルとして働く第２形態とに切替可能とされていることを特徴とするミシン。
【請求項６】
請求項１〜請求項５のうちのいずれか一項において、前記側部カバーを前記ミシン本体から取り外したとき、前記小物入れケース収容空間に収容されている前記小物入れケースの側辺部が露出し、前記側辺部が取り外し用の手掛けとして使用されることを特徴とするミシン。
【発明の詳細な説明】
【技術分野】
【０００１】
本発明は小物入れ機能を有するミシンに関する。
【背景技術】
【０００２】
従来、小物入れ機能を有するミシンとして、小物類を収容する小物入れケースをミシン本体のベッド面とアーム部との間の空間に脱着可能に設けたものが知られている。また特許文献１には、ベッド部とアーム部とを備えたミシン本体と、逆Ｌ字形のミシンカバーとを備え、ミシン本体から外した逆Ｌ字形のミシンカバーを寝かせてベッド部に連設することにより、ベッド面を拡張させる拡張テーブルとしてミシンカバーを用いるミシンが開示されている。更に、特許文献２には、ミシン本体と、ミシン本体の針保持部付近を覆う筒形状をなすミシンカバーとを備え、ミシン本体から外したミシンカバーを寝かせてベッド部に連設することにより、ベッド面を拡張させる拡張テーブルとしてミシンカバーを用いるミシンが開示されている。
【特許文献１】特開平６−３４３７８７号公報
【特許文献２】特開２００２−２８３９１号公報
【発明の開示】
【発明が解決しようとする課題】
【０００３】
上記した小物入れ機能を高めたミシンは、小物類を収容する小物入れケースをミシン本体に有するものの、ミシンの保管時には、小物入れケースは小物入れケースとは別のミシンカバーで隠蔽されるものであり、小物入れケースの壁部それ自体がミシンの外観パッケージを形成するものではない。
【０００４】
更に上記した特許公報に係るミシンは、ミシンのベッド面を拡張させる拡張テーブルに関するものであり、小物入れを収容する小物入れケースに関するものではない。
【０００５】
本発明は上記した実情に鑑みてなされたものであり、小物類を収容可能な収容室を有する小物入れケースを有効利用し、その小物入れケースのフロント壁がミシンの保管時において外方に露出してミシンの外観パッケージを形成することができるミシンを提供するにある。
【課題を解決するための手段】
【０００６】
上記した課題を解決すべく、様相１に係るミシンは、ベッド面をもつベッド部とベッド部から上方に延設され更に横方向に延設されたアーム部とをもつミシン本体と、ミシン本体のアーム部に装備され針を保持するための針保持部とを具備するミシンにおいて、
ミシン本体は、ベッド部のベッド面とアーム部とで形成された小物入れケース収容空間を備えており、更に、使用者に対面するフロント側から小物入れケース収容空間に脱着可能に出し入れされると共に小物類を収容可能な収容室を有する小物入れケースが設けられており、小物入れケースのうち使用者に対面するフロント壁は、ミシンの保管時において、外方に露出してミシンの外観パッケージの一部を形成していることを特徴とするものである。なお、外観パッケージとは、ミシンの保管時における外郭を規定するものをいう。
【０００７】
縫製時には多数の小物類（糸、針、挟み、ボタン、ホック等）が用いられるが、これらの小物類は小物入れケースの収容室に収容される。ミシンの保管時には、小物類を収容可能な収容室を有する小物入れケースは小物入れケース収容空間に挿入されてセットされる。この小物入れケースは、使用者に背向するリヤ側ではなく、使用者に対面するフロント側からミシン本体の小物入れケース収容空間に脱着可能に出し入れされるものであるため、小物入れケースの出し入れ操作が容易である。
【０００８】
またミシンの保管時には、小物入れケースがミシン本体の小物入れケース収容空間に挿入されてセットされる。この場合、小物入れケース自体のフロント壁は、ミシン本体のフロント面と共に外方に露出し、ミシンの外観パッケージの一部を構成する。従って、ミシンの保管時に、小物入れケースとは別のミシンカバーで小物入れケースを覆うといった従来の保管構造を廃止することができる。更に、小物入れケースのフロント壁は外方に露出して使用者側に対面するため、使用者に視認される頻度が高く、従って、小物入れケースのフロント壁をミシンの外観パッケージの意匠として利用することができる。
【０００９】
ここで、小物入れケースそれ自体はミシン本体から脱着可能つまり分離可能であるため、ミシンを相手先ブランド等の第三者のブランドで販売するとき、機械機構や制御基板等を内蔵するため価格が高いミシン本体を共通化させつつ、相手先ブランドに応じて小物入れケースを製造したり、あるいは、相手先ブランドの文字、図形等を小物入れケースのフロント壁のフロント面に付設したりすることもできる。この場合、ミシン本体を共通化させてミシンのコストダウンを図りつつつ、小物入れケースを代えることができる。これにより様々な販売形態に対処することが容易となる。
【００１０】
様相２に係るミシンによれば、小物入れケースを小物入れケース収容空間に挿入したとき、小物入れケースのフロント壁のフロント面は、ミシン本体のアーム部のフロント面と実質的に同一平面となるようにアーム部のフロント面に整合することを特徴とする。ここで、『実質的に同一平面』とは、小物入れケースのフロント壁のフロント面とミシン本体のアーム部のフロント面との境界域（一般的には、線状の境界線に対してプラスマイナス７ミリメトール未満）を除いて、同一平面となるという意味である。
【００１１】
従って、小物入れケースのフロント壁のフロント面は、基本的には、ミシン本体のアーム部のフロント面と同一の突出量とされている。従って、小物入れケースをミシン本体の小物入れケース収容空間に挿入してセットしたとき、小物入れケースのフロント壁のフロント面は、アーム部のフロント面に良好に適応することができ、ミシンの保管時における外観パッケージ性を向上させることができる。なお本明細書によれば、フロント側とはミシンを操作する使用者に対向する側を意味する。リヤ側とは使用者に背向する側を意味する。
【００１２】
様相３に係るミシンによれば、小物入れケースのフロント壁のフロント面は、シール類、写真類、カード類、メモ類、標識類のうちの少なくとも一方を付設可能とされていることを特徴とする。この場合、ミシン使用時には、小物入れケースのフロント壁のフロント面に貼着したシール類、写真類、カード類、メモ類等を視認にしつつ、使用者は縫製作業を行うことができる。更に、小物入れケースは、ベッド部のベッド面とアーム部とで形成された小物入れケース収容空間にフロント側から出し入れされるものであるため、小物入れケースのフロント壁は、使用者にとって目立つ場所に設けられる。このため小物入れケースのフロント壁のフロント面に付設したシール類、写真類、カード類、メモ類、標識類等といった付設物を、使用者は良好に視認することができ、当該付設物が小物入れケースに貼着されたまま忘れられることを防止することができる。
【００１３】
様相４に係るミシンによれば、小物入れケースを小物入れケース収容空間に挿入したとき、小物入れケース収容空間のフロント側は、小物入れケースのフロント壁で閉鎖されており、且つ、小物入れケース収容空間のリヤ側は、小物入れケースのリヤ壁の上方に残留開口を有することを特徴とする。このように小物入れケースがミシン本体の小物入れケース収容空間にセットされているときには、小物入れケース収容空間のフロント側を閉鎖するため、使用者は、フロント側から小物類を小物入れケースの収容室に入れることができない。しかしながら、小物入れケースがミシン本体の小物入れケース収容空間にセットされているときであっても、小物入れケースの全体をミシン本体の小物入れケース収容空間から離脱させずとも、リヤ側の開放している残留開口を介して、比較的小さなサイズの小物類を小物入れケースの収容室へ収容することができる利点が得られる。
【００１４】
様相５に係るミシンによれば、ミシン本体から分離可能な側部カバーが設けられており、側部カバーは、アーム部の先端部にこれの横側方からミシン本体に脱着可能に取り付けられ針保持部を覆う第１形態と、側部カバーを寝かせた状態でミシン本体に付設されてベッド部のベッド面を拡張させる拡張テーブルとして働く第２形態とに切替可能とされていることを特徴とする。この場合、ミシンの保管時には、側部カバーは第１形態とされ、アーム部の先端部にこれの横側方からミシン本体に脱着可能に取り付けられ、針を保持するための針保持部を側部カバーが覆うため、針保持部に対する保護性を高めることができる。
【００１５】
またミシン使用時において拡張テーブルが必要とされるとき、側部カバーは第２形態とされ、即ち、側部カバーを寝かせた状態で、側部カバーはミシン本体に付設され、ベッド部のベッド面を拡張させる拡張テーブルとして働く。従って、縫製作業に便利である。
【００１６】
様相６に係るミシンによれば、側部カバーをミシン本体から取り外したとき、小物入れケースの側辺部が露出し、側辺部が取り外し用の手掛けとして使用されることを特徴とする。このように小物入れケースの側辺部が取り外し用の手掛けとして使用できるため、小物入れケースのフロント壁に手掛け部、グリップ部、ハンドル部等を設けずとも良く、小物入れケースのフロント壁を平坦状に維持することができ、従って、小物入れケースのフロント壁を、ミシンの保管時におけるミシンの外観パッケージの一部として利用するのに有利である。
【発明の効果】
【００１７】
本発明によれば、小物類を収容可能な収容室を有する小物入れケースを有効利用し、小物入れケースが、ミシンの保管時におけるミシンの外観パッケージを形成することができるミシンを提供することができる。
【発明を実施するための最良の形態】
【００１８】
本発明の実施形態について図面を参照しつつ説明する。図１は、ミシン１を使用する状態を示す。図２は、小物入れケース８をミシン本体２の小物入れケース収容空間７に挿入している状態を示す。図３は、ミシン１の不使用時つまり保管時の状態をフロント側から視認した形態を示す。図４は、ミシン１の不使用時、つまり、ミシン１の保管時の状態をリヤ側から視認した形態を示す。
【００１９】
図１に示すように、本実施形態に係るミシン１のミシン本体２は、平坦なベッド面３０をもつベッド部３と、ベッド部３の右部から上方に延設され更に横方向（左方向）に向けて延設されたアーム部４とをもつ。図１に示すように、このアーム部４は、ベッド部３から上方に延設された縦胴部４１と、縦胴部４１の上部から横方向（左方）に向けて腕状をなすように延設されたアーム部本体４２とで形成されている。なお、アーム部４には、天秤等の作動機構が内蔵されている。
【００２０】
ベッド部３の上面であるベッド面３０は、針６０が挿入される針挿入穴をもつ平坦な針板３１を有する。ベッド部３には駆動モータ等の駆動機構が内蔵されている。
【００２１】
図２に示すように、ベッド部３は基本的には長さ寸法Ｌ１×奥行き寸法Ｄ１のサイズで規定されている。ベッド部３は、ミシン本体２から横側方（左方：矢印Ｍ１方向）にスライドされて分離可能な分離ベッド部３５をもつ。分離ベッド部３５は、ベッド部３の一部を構成するものであり、長さ寸法Ｌ２×奥行き寸法Ｄ２のサイズで規定されている。ミシン１の通常使用時には、分離ベッド部３５はミシン本体２に一体的に接続されている。なお、袋縫い等を行うとき、分離ベッド部３５は横側方（矢印Ｍ１方向）にスライドされてミシン本体２から分離される。
【００２２】
針保持部６は、ミシン本体２のアーム部４のアーム部本体４２の先端部に装備されており、針６０を脱着可能に保持する。アーム部４のアーム部本体４２のうち使用者に対面するフロント面４２ｆには、スピード調整用つまみ１００が設けられている。アーム部４の縦胴部４１のうち使用者に対面するフロント面４１ｆには、リバースレバー１０１が設けられている。
【００２３】
図１に示すように、ミシン本体２は小物入れケース収容空間７を有する。小物入れケース収容空間７は、ベッド部３のベッド面３０と、アーム部４の縦胴部４１の側面４１ｓと、アーム部本体４２の下面４２ｕとで区画されており、フロント側とリヤ側との間を貫通するように開口している。更に、小物類を収容可能な収容室８ａを有する小物入れケース８が設けられている。小物入れケース８は、使用者に対面するフロント側から小物入れケース収容空間７に脱着可能に出し入れされる箱形状をなす収容容器である。
【００２４】
図１に示すように、小物入れケース８は樹脂を基材としており、使用者に対面するようにフロント側に設けられた平坦なフロント壁８０と、使用者に背向するようにリヤ側に設けられたリヤ壁８１と、フロント壁８０及びリヤ壁８１を繋ぐ側面壁８２，８３と、底開口を塞ぐ底壁８４とを有する。図１に示すように、小物入れケース８において、リヤ壁８１の高さ及び側面壁８２の高さよりも、フロント壁８０の高さはΔｈ高く設定されている。換言すると、リヤ壁８１の高さ及び側面壁８２は、フロント壁８０の高さよりもΔｈ低く設定されている。
【００２５】
また、図２に示すように、小物入れケース８をミシン本体２の小物入れケース収容空間７に収容したとき、小物入れケース８のフロント壁８０は、外方に露出しており、使用者に対面すると共にミシン１の外観パッケージの一部となる平坦なフロント面８０ｆを有する。フロント壁８０は四角形状をなしており、直状の上辺部８０ｕと、直状の下辺部８０ｐと、互いに対向する直状の２個１対の側辺部８０ｒ,８０ｓとをもつ。
【００２６】
縫製時には多数の小物類（糸、針、挟み、ボタン、ホック等）が用いられる。これらの小物類は小物入れケース８の収容室８ａに収容される。なお、小物入れケース８が小物入れとして使用されないとき等には、縫製時に生じた糸屑等を小物入れケース８の収容室８ａに収容し、小物入れケース８をゴミ箱として使用することもできる。
【００２７】
ミシン１の不使用時、つまり、ミシン１の保管時には、小物類を収容するまたは収容可能な小物入れケース８は、ベッド部３のベッド面３０において挿入方向（図２に示す矢印Ｂ１方向）に沿ってスライドされ、ミシン本体２の小物入れケース収容空間７に挿入されてセットされる。小物入れケース８を離脱方向（図２に示す矢印Ｂ２方向）へスライドさせれば、小物入れケース８をミシン本体２の小物入れケース収容空間７から離脱させることができる。
【００２８】
図３は、小物入れケース８が挿入方向（矢印Ｂ１方向）に沿って小物入れケース収容空間７に挿入されてセットされている状態、つまり、ミシン１の保管時を示す。図３に示すように小物入れケース８がミシン本体２の小物入れケース収容空間７にセットされているとき、小物入れケース８のフロント壁８０の一方の側辺部８０ｓは、アーム部４の縦胴部４１の外縁の段状面４１ｔに合わさり、且つ、小物入れケース８のフロント壁８０の上辺部８０ｕは、アーム部４のアーム部本体４２の外縁の段状面４２ｔに合わさり、これにより挿入方向（矢印Ｂ１方向）における小物入れケース８の進入量は規制される。また、小物入れケース８のフロント壁８０の他方の側辺部８０ｒは、側部カバー９の外縁面９ｔに合わさる。また、フロント壁８０の下辺部８０ｐはベッド３０のベッド面３０に合わさる。
【００２９】
この結果、図３に示すように、小物入れケース８がミシン本体２の小物入れケース収容空間７にセットされているミシン保管時には、小物入れケース収容空間７のうちフロント側開口７ｍは、小物入れケース８のフロント壁８０で閉鎖されている。この状態（ミシン１の保管時）において、小物入れケース８のうち使用者に対面するフロント壁８０のフロント面８０ｆは、縦胴部４１のフロント面４１ｆ、アーム部本体４２のフロント面４２ｆと共に実質的に面一状態となり、外方に露出し、ミシン１の外観パッケージの一部を構成している。従ってミシン１の保管時において、小物入れケース８と別体のミシンカバーで小物入れケース８を覆うといった保管構造を廃止することができ、部品点数の削減を図ることができる。
【００３０】
なお、前述したように、小物入れケース８のフロント壁８０のフロント面８０ｆは、縦胴部４１のフロント面４１ｆ、アーム部本体４２のフロント面４２ｆと共に実質的に面一状態となり、ミシン１の外観パッケージの一部を構成する。このためフロント壁８０のフロント面８０ｆは縦胴部４１のフロント面４１ｆ、アーム部本体４２のフロント面４２ｆと、意匠的にマッチングする色彩とすることが好ましい。小物入れケース８のみ別の色としても良い。
【００３１】
図４は、小物入れケース８がミシン本体２の小物入れケース収容空間７にセットされているときにおけるリヤ側から視認した状態を示す。図４に示すように、小物入れケース収容空間７のリヤ側開口７ｎの大部分は、小物入れケース８のリヤ壁８１で閉鎖されているものの、前述したように小物入れケース８の背面側のリヤ壁８１の上縁８１ｕの高さは、前面側のフロント壁８０の高さよりも低く設定されているため、小物入れケース８のリヤ壁８１の上縁８１ｕの上方に残留開口８６が残されている。残留開口８６は小物入れケース８の収容室８ａに連通する。従って、小物入れケース８がミシン本体２の小物入れケース収容空間７にセットされている状態にもかかわらず、小物入れケース８をミシン本体２の小物入れケース収容空間７から逐一離脱させずとも、図４に示すリヤ側の残留開口８６を介して、比較的小さなサイズの小物類をミシン１の背面側から小物入れケース８の収容室８ａへ収容することもできる。
【００３２】
上記したように、図３に示すごとく小物入れケース８がミシン本体２の小物入れケース収容空間７にセットされているとき、小物入れケース収容空間７のフロント側開口７ｍは、小物入れケース８のフロント壁８０で閉鎖されているものの、小物入れケース収容空間７のリヤ側には残留開口８６が残されている。これにより操作が馴れていない使用者であっても、ミシン１のうち使用者に対面する側であるフロント側と、使用者に背向する側であるリヤ側との峻別性を高めることができる。このため別段のマーク等が小物入れケース８及びミシン本体２に設けられていないときであっても、使用者がミシン１のフロント側及びリヤ側を錯誤で混同することを防止することができる。
【００３３】
本実施形態によれば、ミシン１を使用するときには、図３→図２→図１の順に部品を外していく。即ち、まず、ミシン本体２から側部カバー９を矢印Ａ２方向に取り外し、そして必要に応じて側部カバー９を拡張テーブル９Ｂとしてミシン本体２に接続し（あるいは、側部カバー９を拡張テーブル９Ｂとしてミシン本体２に接続しなくても良い）、その後、小物入れケース収容空間７から小物入れケース８を離脱方向（矢印Ｂ２方向）取り外すことができる。
【００３４】
上記したように小物入れケース収容空間７から小物入れケース８を取り外す前の段階で、側部カバー９をミシン本体２から横側方（図２に示す矢印Ａ２方向）に取り外すことにしている。このため、小物入れケース８を小物入れケース収容空間７から取り外すときには、側部カバー９が既にミシン本体２から取り外されているため、図２に示すように、小物入れケース８のフロント壁８０の側辺部８０ｒが露出しており、従って、使用者はフロント壁８０の側辺部８０ｒ付近に使用者の手指をかけて、小物入れケース８を小物入れケース収容空間７から取り外すことができる。故に、操作用の手掛け部、グリップ部、ハンドル部等を小物入れケース８のフロント壁８０に設けずとも良く、小物入れケース８のフロント壁８０を平坦状に維持することができる。この意味においても、小物入れケース８のフロント壁８０によりミシン１の外観パッケージの一部を構成する方式を採用するのに有利である。
【００３５】
また、縫製作業を終えてミシン１を保管するときには、図１→図２→図３の順に、部品をミシン本体２に取り付けていく。即ち、小物入れケース８を矢印Ｂ１方向に挿入してミシン本体２の小物入れケース収容空間７に取り付けた後、側部カバー９を横側方（矢印Ａ１方向）に移動させてミシン本体２に取り付ける。このように側部カバー９をミシン本体２に取り付ければ、針保持部６を覆って隠蔽することができる。
【００３６】
以上説明したように本実施形態によれば、小物類を収容可能な収容室８ａを有する小物入れケース８のうち使用者に対面するように外方に露出するフロント壁８０を有効利用し、ミシン１の不使用時、つまり、ミシン１の保管時において、小物入れケース８のフロント壁８０がミシン１の外観パッケージの一部を形成することができる。更に小物入れケース８は、使用者側であるフロント側から出し入れされるため、ミシン本体２の小物入れケース収容空間７に対する小物入れケース８の出し入れ作業を容易化することができる。
【００３７】
また本実施形態によれば、小物入れケース８それ自体はミシン本体２から分離可能であるため、ミシン１を相手先ブランドで販売するとき、天秤及び駆動モータ等の作動機能等を有するミシン本体２を共通化させつつ、相手先ブランドの商標等の文字や図形等を小物入れケース８のフロント壁８０のフロント面８０ｆに付設したり、あるいは、相手先ブランドに応じて小物入れケース８を製造したりすれば、価格が高価なミシン本体２を共通化させてミシン１の全体のコストダウンを図りつつつ、様々な販売形態に容易に対処することもできる。
【００３８】
図３に示すように、小物入れケース８をミシン本体２の小物入れケース収容空間７に挿入したミシン保管時には、小物入れケース８のフロント壁８０のフロント面８０ｆは、ミシン本体２のアーム部４の縦胴部４１のフロント面４１ｆ、アーム部４のアーム部本体４２のフロント面４２ｆと同一平面となり、あるいは実質的に同一平面となり、ミシン本体２の当該フロント面４１ｆ，４２ｆに整合することになる。更に、小物入れケース８のフロント壁８０のフロント面８０ｆは、ミシン本体２に取り付けた側部カバー９のフロント面９ｆと同一平面となるように、あるいは実質的に同一平面となるように、側部カバー９のフロント面９ｆに整合することになる。
【００３９】
従って、小物入れケース８のフロント壁８０のフロント面８０ｆは、基本的には、使用者に向かう方向（矢印Ｂ２方向）において、ミシン本体２のアーム部４に関するフロント面４１ｆ，４２ｆ、側部カバー９のフロント面９ｆと同一の突出量、あるいはほぼ同一の突出量とされている。故に本実施形態によれば、図３に示すように、小物入れケース８を小物入れケース収容空間７に挿入してセットしたミシン保管時において、小物入れケース８のフロント壁８０のフロント面８０ｆは、アーム部４の縦胴部４１のフロント面４１ｆ、アーム部４のアーム部本体４２のフロント面４２ｆ、側部カバー９のフロント面９ｆに良好に適応することができ、ミシン１の保管時における外観パッケージ性を向上させることができる。
【００４０】
本実施形態によれば、図３に示すように、小物入れケース８のフロント壁８０のフロント面８０ｆは、平坦で且つ広い面積とされ、立設状態とされている。従って、小物入れケース８のフロント壁８０のフロント面８０ｆは、付設物２００を貼着等により付設可能とされている。付設物２００としては、シール類、写真類、カード類、メモ類、標識類等が例示される。このためミシン１の使用時には、ミシン本体２から取り外した小物入れケース８のフロント壁８０のフロント面８０ｆに貼着したシール類、写真類、カード類、メモ類等といったシート状の付設物２００に記載されている内容（ミシン使用時に必要な文章、絵等）を視認しつつ、使用者は縫製作業を行うことができる。
【００４１】
更に小物入れケース８は、ベッド部３のベッド面３０とアーム部４の縦胴部４１の側面４１ｓとで形成された小物入れケース収容空間７に挿入されるものであり、このため、小物入れケース８は、ミシン１の使用者にとって目立つ場所に設けられる。このため小物入れケース８のフロント壁８０のフロント面８０ｆに貼着したシール類、写真類、カード類、メモ類等といったシート状の付設物２００を使用者は良好に視認することができる。故に、シート状の付設物２００が貼着されたまま忘れられることを防止することができる。
【００４２】
本実施形態によれば、ミシン本体２から分離可能な側部カバー９が設けられている。ミシン１の保管時には、側部カバー９は、図３に示すように、アーム本体部４２の先端部４２ｅにこれの横側方（矢印Ａ１方向）から脱着可能に取り付けられ、針保持部６を覆うことができる。側部カバー９に形成されているアール部９ｒは、分離ベッド部３５のアール部３５ｒ、ベッド部３のアール部３ｒと実質的に同じ曲率とされている。
【００４３】
また、側部カバー９は、図１に示すように、側部カバー９を寝かせた状態で、ミシン本体２に付設されてベッド部３のベッド面３０を拡張させる拡張テーブル９Ｂとして働く形態に切替可能とされている。図１に示すように側部カバー９を拡張テーブル９Ｂとして用いるとき、側部カバー９に形成されているテーブル面９ｗはベッド部３のベッド面３０と同一高さとなり、側部カバー９に形成されているアール部９ｒは、分離ベッド部３５のアール部３５ｒ、ベッド部３のアール部３ｒと同じ向きとされて整合し、意匠性が確保される。
【００４４】
上記したようにミシン１の不使用時、つまりミシン１の保管時には、側部カバー９は第１形態とされる。即ち、図２に示すように、側部カバー９はこれのフロント面６ｆが垂直またはほぼ垂直となるように立起状態とされる。そして、立起状態とされた側部カバー９は、アーム本体部４２の先端部４２ｅにこれの横側方から脱着可能に取り付けられる。この結果、側部カバー９は、針６０を保持するための針保持部６を覆い、側部カバー９は、針６０を保持する針保持部６に対する保護性を高めることができる。
【００４５】
またミシン使用時において拡張テーブル９Ｂが必要とされるときがある。この場合、側部カバー９は第２形態とされる。即ち、図１に示すように、立起状態の側部カバー９を横に寝かせた状態で、側部カバー９をミシン本体２に付設する。これにより側部カバー９の面９ｗをミシン本体２のベッド面３０に同一高さで連設させることができる。この結果、側部カバー９は、ミシン本体２のベッド部３のベッド面３０を拡張させる拡張テーブル９Ｂとして働くことができる。従って、縫製作業に便利である。
【００４６】
なお、立起状態の側部カバー９の高さ寸法Ｈ１（図３参照）は、ミシン本体２のベッド部３の奥行き寸法Ｄ１に対応するサイズ（Ｄ１=Ｈ１,Ｄ１≒Ｈ１）とされている。また立起状態の側部カバー９の幅寸法Ｄ４（図３参照）は、ベッド部３のベッド面３０の高さ寸法Ｈ４に対応するサイズ（Ｄ４=Ｈ４,Ｄ４≒Ｈ４）とされている。従って側部カバー９を水平方向に寝かせ、その寝かせた側部カバー９を図１に示すようにベッド部３に連結させ拡張テーブル９Ｂとしたとき、拡張テーブル９Ｂを違和感なく形成することができる。
【００４７】
本実施形態によれば、図２に示すように、ベッド部３及び分離ベッド部３５の端面には凹または凸からなる被係止部３ｘが設けられている。更に、側部カバー９の面９ｋには、前記した被係止部３ｘに脱着可能に係止する凸または凹からなる係止部９ｘが設けられている。そして、側部カバー９を拡張テーブル９Ｂとして使用するときには、被係止部３ｘと係止部９ｘとを脱着可能に係止させることにより、側部カバー９をミシン本体２に連結状態に固定する。なお、側部カバー９をミシン本体２から離脱させるときには、被係止部３ｘと係止部９ｘとを取り外せばよい。
【００４８】
（他の実施形態）上記した実施形態によれば、拡張テーブル９Ｂを兼用できる側部カバー９が設けられているが、拡張テーブルが特に必要とされないときには、側部カバー９は拡張テーブル機能を有せずとも良いものである。小物入れケース８のフロント壁８０は四角形状されているが、これに限らず、楕円形状、円形状等とすることも可能である。その他、本発明は上記し且つ図面に示した実施形態のみに限定されるものではなく、要旨を逸脱しない範囲内で適宜変更して実施できるものである。
【産業上の利用可能性】
【００４９】
本発明は家庭用や工業用等のミシンに利用することができる。
【図面の簡単な説明】
【００５０】
【図１】側部カバーを拡張テーブルとして使用しているミシンを使用する状態を示す斜視図である。
【図２】小物入れケースをミシン本体の小物入れケース収容空間に挿入していると共に、側部カバーをミシン本体から外した状態を示す斜視図である。
【図３】ミシンの不使用時つまりミシンの保管時の状態をフロント側から視認した形態を示す斜視図である。
【図４】ミシンの不使用時つまりミシンの保管時の状態をリヤ側から視認した形態を示す斜視図である。
【符号の説明】
【００５１】
図中、２はミシン本体、３はベッド部、３０はベッド面、３１は針板、４はアーム部、４１は縦胴部、４２はアーム部本体、６は針保持部、６０は針、３５は分離ベッド部、７は小物入れケース収容空間、８は小物入れケース、８ａは収容室、８０はフロント壁、８１はリヤ壁、９は側部カバー、９Ｂは拡張テーブルを示す。
【図１】
2005124774.tif 000003
【図２】
2005124774.tif 000004
【図３】
2005124774.tif 000005
【図４】
2005124774.tif 000006